(57)【要約】【課題】タッチパネルディスプレイや電子黒板等の使用で画面に触れても揺れが小さく、デザイン的にもスマートで堅牢な高さ調整のできるディスプレイ用電動昇降式スタンドを提供すること。【解決手段】キャスターを取り付けた台座ベース１とアルミの引き抜き材からなるアウターパイプ３へインナーパイプ２を組み入れて昇降駆動部を突出させた伸縮支柱と三角補強を施した取り付けベース４とディスプレイ取り付け金具５から構成され、台座ベース１へ駆動部を突出させた伸縮支柱を嵌入固定し、アウターパイプ３上部に固定した取り付けベース４へディスプレイ２１の背面に接続固定したディスプレイ取り付け金具５を付設固定させるディスプレイ用電動昇降式スタンドである。【選択図】図１
0003218057.tif 000002
【実用新案登録請求の範囲】
【請求項１】
キャスターを取り付けた台座ベースへ、アウターパイプにインナーパイプを組み入れ駆動部を突出させたアルミ引き抜き材からなる伸縮支柱を嵌入固定し、補強板を取り付け、アウターパイプ上部に三角補強を施した取り付けベースをボルト固定し、ディスプレイの背面に接続固定したディスプレイ取り付け金具を該取り付けベースに付設固定させる事を構造とするディスプレイ用電動昇降式スタンド。
【考案の詳細な説明】
【技術分野】
【０００１】  本考案は、ディスプレイを設置して任意の高さに可変調整できる電動昇降式スタンドに関するものである。
【背景技術】
【０００２】  従来、街中の商業施設又は学校の教育現場や企業の研修施設等でディスプレイをスタンドに設置し、使用される環境状況に応じて任意に上下の高さ調整を行うことができる電動昇降式スタンドは、キャスターを取り付けた台座ベースへインナーパイプとアウターパイプ内に昇降駆動部を入れ込んだスタンド支柱を取り付け、スタンド支柱上部に固定した取り付けベースにディスプレイの背面に取り付けたフック状のディスプレイ取り付け金具を付設固定させる構造をとっている。【０００３】  例えば、非特許文献１に掲載されているものは、キャスターを取り付けたＨ型の台座ベースに駆動部を入れ込んだインナーパイプとアウターパイプの支柱を接続固定し、支柱上部に取り付けベースを固定し、ディスプレイの背面に取り付けたディスプレイ取り付け金具をこの取り付けベースへ付設固定させる構造を開示している。
【先行技術文献】
【非特許文献】
【０００４】
【非特許文献１】「オーロラＡＶ総合カタログＶｏｌ．４７」．株式会社共栄商事Ｐ．６０
【考案の概要】
【考案が解決しようとする課題】
【０００５】  しかしながら、上述した非特許文献１では、支柱のインナーパイプとアウターパイプとの隙間が広く、タッチパネルディスプレイや電子黒板等を設置した場合に指やタッチペンで画面に触れると揺れが生じ少しの間見づらくなる。又、支柱パイプが重量物に耐えられる様に太く堅牢にできている為、デザイン的に威圧感がありスマートさに欠ける。【０００６】  本考案は、上記課題を鑑みてなされたもので、タッチパネルディスプレイや電子黒板等の使用で画面に触れても揺れが小さく、デザイン的にもスマートで堅牢な高さ調整のできるディスプレイ用電動昇降式スタンドを提供する事である。
【課題を解決するための手段】
【０００７】  上記課題を解決するため、本考案は支柱パイプにアルミの引き抜き材を用い、昇降可動部を支柱パイプ内に収め駆動部を支柱パイプ外に突出させ、アウターパイプとインナーパイプとの隙間には潤滑性の高い樹脂性のスペーサーを入れ込み、台座ベースへ駆動部を外に突出させた支柱を挟み込み固定補強し、支柱上部には背面に三角補強を施した取り付けベースを固定しディスプレイの背面に取り付けたディスプレイ取り付け金具を取り付けベースに付設固定させることを構造とする電動昇降式スタンド。
【考案の効果】
【０００８】  本考案の効果として、支柱をアルミの引き抜き材とすることによって強度が確保でき、駆動部を支柱パイプの外に突出させる事により支柱パイプを細くスマートにさせることができ、アウターパイプとインナーパイプとの隙間に潤滑性の高い樹脂性スペーサーを入れ込む事によって隙間を狭くする事ができ、取り付けベースの背面側に三角補強を施す事により、タッチパネルや電子黒板等で画面に触れても揺れを小さく収めることができる。
【図面の簡単な説明】
【０００９】
【図１】本考案の電動昇降式スタンドの形態を示した正面斜視図である。
【図２】本考案の電動昇降式スタンドの支柱部分の側面外観図である。
【図３】本考案の電動昇降式スタンドの取り付けベース部分を背面からみた斜視構造図である。
【図４】本考案の電動昇降式タンドのインナーパイプとアウターパイプの構造を示した断面図である。
【考案を実施するための形態】
【００１０】  以下、本考案を実施するための形態を図面にもとづき説明する。
【実施例】
【００１１】  図１は、本考案の電動昇降式スタンドの形態を示した正面斜視図であり、アルミの引き抜き材からなる支柱パイプ内に可動部を収め、支柱パイプ外に駆動部を突出させ、アウターパイプ３とインナーパイプ２との隙間には潤滑性の高い樹脂製のスペーサー１１を入れ込み、キャスターを取り付けた台座ベース１に該支柱を嵌入固定し支柱補強板８で保持し、支柱上部には背面に三角補強を施した取り付けベース４を固定しディスプレイ２１の背面に取り付けたディスプレイ取り付け金具５を該取り付けベース４に付設固定させた形態を示している。台座ベース１のキャスターを取り付けた左右の脚部は角パイプ構造とし、
左右の脚部を連結し支柱を支える部分は、真ん中を箱状に開口を開け補強を施した構造とする。このことにより、支柱を嵌入固定させ揺れに対する強度が保たれ、さらに支柱パイプの外に突出させた駆動部の上部に支柱補強板８を取り付けることで、より堅牢となりディスプレイ２１の重みが掛かっても揺れを軽減し抑えられる。【００１２】  図２は、本考案の電動昇降式スタンドの支柱部分の側面外観図であり、アルミの引き抜き材からなるアウターパイプ３とインナーパイプ２を組み合わせた支柱に可動部を支柱パイプ内に収め駆動部７を支柱パイプ外に突出させた形態を示している。支柱をアルミの引き抜き材とすることによって、ある一定の強度が得られ、駆動部７を支柱の外に突出させる事によって支柱自体を細くスマートにさせる事ができデザイン的にも見栄えが良くなり又、インナーパイプ２を下部に用いアウターパイプ３を上部に配置する事によって、隙間が下方向となるため、埃や落下した小さなものが挟まる可能性が減少し安全に使用することができる。【００１３】  図３は、本考案の電動昇降式スタンドの取り付けベース４を支柱上部に取り付けた場合の背面からみた斜視構造図であり、Ｃ型状に折り曲げた上下のチャンネル間に補強を施したＬ型金具を溶接させアウターパイプ３の支柱を挟み込む形で取り付け固定する。さらに背面側が広がらないように上下左右の４ヶ所に三角補強板６を溶接させ、上下チャンネル両サイドに移動用のハンドル９を取り付けたものである。取り付けベース４の背面に三角補強板６を各々４ヶ所溶接させることにより、強度が増し揺れを抑えることができる。【００１４】  図４は、本考案の電動昇降式スタンドの支柱のアウターパイプ３とインナーパイプ２を組み合わせた形態を示した断面図であり、アルミの引抜き材からなるアウターパイプ３とインナーパイプ２を組み込んだ隙間には各々潤滑性が高く厚みの薄い樹脂性のスペーサー１１を入れ込んでいる。該スペーサー１１によりアウターパイプ３とインナーパイプ２の隙間を狭くする事ができ樹脂素材の面でスライドさせるため、密着性が高く動作もスムーズで揺れが生じにくい。
【産業上の利用可能性】
【００１５】  本考案の電動昇降式スタンドは、ディスプレイ用の昇降として利用する事は勿論であるが、揺れが少なくスマートなデザインで、ある程度の重量物を昇降させる事ができるので昇降式のデスクや状況に応じて高さを可変する様々な用途に活用できる。
【符号の説明】
【００１６】  １．  台座ベース
２．  インナーパイプ
３．  アウターパイプ
４．  取り付けベース
５．  ディスプレイ取り付け金具
６．  三角補強板
７．  駆動部
８．  支柱補強板
９．  ハンドル
１１．スペーサー
２１．ディスプレイ
【図１】
0003218057.tif 000003
【図２】
0003218057.tif 000004
【図３】
0003218057.tif 000005
【図４】
0003218057.tif 000006